(57)【要約】【課題】ＱＦＰ下部から配線パターンを引き出す場合においても、半田付け性を保ちつつ、配線パターンがノイズの影響を受けにくいプリント基板を提供する。【解決手段】ＱＦＰをディップ半田付け処理によって実装するプリント基板で、前方半田付けランド群と後方半田付けランド群の間に、２つに分離した半田流しランドを設け、この２つに分離した半田流しランドの間に配線パターンを設け、この配線パターンは幅ｂが０．３ｍｍ以上のランドとし、前記配線パターンと前記半田流しランドとの間隔ａは０．４ｍｍ以上且つ０．８ｍｍ以下とする。【選択図】図１
2007207826.tif 000002
【特許請求の範囲】
【請求項１】
ＱＦＰ（Ｑｕａｄ  Ｆｌａｔ  Ｐａｃｋａｇｅ）を、予め定めたディップ方向に対して１つの角部を前方にし、該１つの角部に対向する角部を後方にして、ディップ半田付け処理によって実装するために、前記１つの角部を挟む２つの端子群を半田付けするための前方半田付けランド群と前記１つの角部に対向する角部を挟む２つの端子群を半田付けするための後方半田付けランド群とを備えたプリント基板であって、
前記前方半田付けランド群と前記後方半田付けランド群との間に、２つに分離した半田流しランドを設け、該２つに分離した半田流しランドの間に配線パターンを設け、該配線パターンは幅が０．３ｍｍ以上のランドであり、前記配線パターンと前記半田流しランドとの間隔が０．４ｍｍ以上且つ０．８ｍｍ以下であることを特徴とするプリント基板。
【請求項２】
ＱＦＰを、予め定めたディップ方向に対して１つの角部を前方にし、該１つの角部に対向する角部を後方にして、ディップ半田付け処理によって実装するために、前記１つの角部を挟む２つの端子群を半田付けするための前方半田付けランド群と前記１つの角部に対向する角部を挟む２つの端子群を半田付けするための後方半田付けランド群とを備えたプリント基板であって、
前記前方半田付けランド群と前記後方半田付けランド群との間に、２つに分離した半田流しランドを設け、該２つに分離した半田流しランドの間に複数の配線パターンを設け、該複数の配線パターンの何れか１本は幅が０．２ｍｍ以上且つ０．２５ｍｍ以下でランドの上にレジストが塗布されており、該レジストが塗布された配線パターン以外の配線パターンは幅が０．３ｍｍ以上のランドであり、前記レジストが塗布された配線パターンとこれを挟むランドとの間隔は夫々０．２ｍｍ以上且つ０．２５ｍｍ以下であり、ランドとランドとの間隔は０．４ｍｍ以上且つ０．８ｍｍ以下であることを特徴とするプリント基板。
【請求項３】
ＱＦＰを、予め定めたディップ方向に対して１つの角部を前方にし、該１つの角部に対向する角部を後方にして、ディップ半田付け処理によって実装するために、前記１つの角部を挟む２つの端子群を半田付けするための前方半田付けランド群と前記１つの角部に対向する角部を挟む２つの端子群を半田付けするための後方半田付けランド群とを備えたプリント基板であって、
前記前方半田付けランド群と前記後方半田付けランド群との間に、配線パターンを設け、該配線パターンの一部をランドにし、前記配線パターンのランド部分と前記前方半田付けランド群との間隔は０．４ｍｍ以上且つ０．８ｍｍ以下であり、前記配線パターンのランド部分と前記後方半田付けランド群との間隔は０．４ｍｍ以上且つ０．８ｍｍ以下であることを特徴とするプリント基板。
【発明の詳細な説明】
【技術分野】
【０００１】
本発明は、プリント基板に関し、詳しくは、ＱＦＰをディップ半田付け処理によって実装するプリント基板に関する。
【背景技術】
【０００２】
ＩＣのパッケージには、端子の数、端子の間隔、プリント基板への実装形態（挿入型、表面実装型）の違いによって、種々のパッケージがある。これらＩＣパッケージの中に、ＱＦＰ（Ｑｕａｄ  Ｆｌａｔ  Ｐａｃｋａｇｅ）と呼ばれるものがある。これは、表面実装型のＩＣパッケージで、上面から見た形状が略正方形又は略長方形になっている。図４及び図５は、このＱＦＰの一例の斜視図及び寸法を示す説明図である（図５において寸法を示す数字の単位は、ｍｍ）。ＱＦＰ２は、複数の端子２１からなる端子群２２を４方向に備える。
【０００３】
このＱＦＰを半田付けする方法に、ディップ半田付け（フロー半田とも呼ばれる）がある。これは、表面実装用部品をプリント基板上に接着剤で固定し、このプリント基板を裏返して（部品面を下にして）、溶融半田槽を通過させ、半田付けを行う方法である。
【０００４】
このディップ半田付けにおいて、半田付け性を向上させるために、プリント基板に半田流しランドを設ける技術が特許文献１及び特許文献２に開示されている。ここで、ランドとは、例えば銅箔のような導電性の物質が露出している状態を言う。図６は、このようなプリント基板の例を示す説明図である。同図において、矢印９はディップ方向を示し、ディップ半田付けの際は、この方向にプリント基板１が移動する。前方半田付けランド群３１及び後方半田付けランド群３２は、ＱＦＰの端子群２２が半田付けされるランドである。半田流しランド５は、前方半田付けランド群３１と後方半田付けランド群３２との間に設けられたランドである。前方半田付けランド群３１の半田付けから、後方半田付けランド群３２の半田付けに移行する際に、半田流しランド５に沿って半田を滑らかに移動させることができる。半田引きランド６は、後方半田付けランド群３２の半田付けが終了した際に、半田の引き上げを滑らかに行うためのランドである。
【０００５】
所で、プリント基板の表面上において、ＱＦＰの下部からＱＦＰの外側に配線を引き出さなければならない場合がある（例えば、特許文献３の図２）。半田流しランド付近より配線を引き出す場合、例えば、特許文献４の図１の１１ｂと１３ａのように、半田流しランドを２つに分離し、この間から配線パターンを引き出すプリント基板が従来使用されてきた。
【０００６】
この配線パターンを分かりやすく説明した説明図を図７に示す。２つに分離された半田流しランド５の間を配線パターン７が通っている。この配線パターン７は、半田によって半田流しランド５と短絡することを防止するために、レジストで覆われている。また、半田流しランド５の半田流し効果を保つためには、半田流しランド５の間に設けられた間隔を狭くしなければならず、このため、配線パターン７の幅を小さく抑えなければならない。なお、半田引きランド６を２つに分離し、その間から配線を出す場合は、配線の出す方向と半田の流れる方向が略同一であるため、このような問題は発生しない。
【０００７】
【特許文献１】特開平７−４５９３６号公報
【特許文献２】特開平８−６４９１７号公報
【特許文献３】特開平８−２０４３００号公報
【特許文献４】特開平５−１９１０２６号公報
【発明の開示】
【発明が解決しようとする課題】
【０００８】
特許文献４に記載されるような従来の配線パターンでは、その幅を小さく抑えなければならないため、ノイズの影響を受けやすくなるという問題があった（即ち、配線パターンを信号が通る場合は、この信号がノイズの影響を受けやすくなり、配線パターンがグランドパターンの場合は、グランドの電位がノイズの影響を受けやすくなる。）。
【０００９】
本発明は、上述した点に鑑みてなされたものであり、ＱＦＰ下部から配線パターンを引き出す場合においても、半田付け性を保ちつつ、配線パターンがノイズの影響を受けにくいプリント基板を提供することを目的とする。
【課題を解決するための手段】
【００１０】
請求項１に記載のプリント基板は、ＱＦＰ（Ｑｕａｄ  Ｆｌａｔ  Ｐａｃｋａｇｅ）を、予め定めたディップ方向に対して１つの角部を前方にし、該１つの角部に対向する角部を後方にして、ディップ半田付け処理によって実装するために、前記１つの角部を挟む２つの端子群を半田付けするための前方半田付けランド群と前記１つの角部に対向する角部を挟む２つの端子群を半田付けするための後方半田付けランド群とを備えたプリント基板であって、前記前方半田付けランド群と前記後方半田付けランド群との間に、２つに分離した半田流しランドを設け、該２つに分離した半田流しランドの間に配線パターンを設け、該配線パターンは幅が０．３ｍｍ以上のランドであり、前記配線パターンと前記半田流しランドとの間隔が０．４ｍｍ以上且つ０．８ｍｍ以下であることを特徴とする。
【００１１】
請求項１に記載のプリント基板によれば、２つに分離した半田流しランドの間の配線パターンに半田流しランドの機能を持たせることができる。
【００１２】
請求項２に記載のプリント基板は、ＱＦＰを、予め定めたディップ方向に対して１つの角部を前方にし、該１つの角部に対向する角部を後方にして、ディップ半田付け処理によって実装するために、前記１つの角部を挟む２つの端子群を半田付けするための前方半田付けランド群と前記１つの角部に対向する角部を挟む２つの端子群を半田付けするための後方半田付けランド群とを備えたプリント基板であって、前記前方半田付けランド群と前記後方半田付けランド群との間に、２つに分離した半田流しランドを設け、該２つに分離した半田流しランドの間に複数の配線パターンを設け、該複数の配線パターンの何れか１本は幅が０．２ｍｍ以上且つ０．２５ｍｍ以下でランドの上にレジストが塗布されており、該レジストが塗布された配線パターン以外の配線パターンは幅が０．３ｍｍ以上のランドであり、前記レジストが塗布された配線パターンとこれを挟むランドとの間隔は夫々０．２ｍｍ以上且つ０．２５ｍｍ以下であり、ランドとランドとの間隔は０．４ｍｍ以上且つ０．８ｍｍ以下であることを特徴とする。
【００１３】
請求項２に記載のプリント基板によれば、複数の配線パターンを引き出す場合に、２つに分離した半田流しランドの間に、半田流しランドの機能を持たせることができる。
【００１４】
請求項３に記載のプリント基板は、ＱＦＰを、予め定めたディップ方向に対して１つの角部を前方にし、該１つの角部に対向する角部を後方にして、ディップ半田付け処理によって実装するために、前記１つの角部を挟む２つの端子群を半田付けするための前方半田付けランド群と前記１つの角部に対向する角部を挟む２つの端子群を半田付けするための後方半田付けランド群とを備えたプリント基板であって、前記前方半田付けランド群と前記後方半田付けランド群との間に、配線パターンを設け、該配線パターンの一部をランドにし、前記配線パターンのランド部分と前記前方半田付けランド群との間隔は０．４ｍｍ以上且つ０．８ｍｍ以下であり、前記配線パターンのランド部分と前記後方半田付けランド群との間隔は０．４ｍｍ以上且つ０．８ｍｍ以下であることを特徴とする。
【００１５】
請求項３に記載のプリント基板によれば、配線パターンの一部を半田流しランドとして流用することができる。
【発明の効果】
【００１６】
本発明によれば、２つに分離した半田流しランドの間の配線パターンに半田流しランドの機能を持たせることができ、且つ配線パターンの幅を大きくとることができるため、半田付け性を保ちつつ、配線パターンがノイズの影響を受けにくいプリント基板を提供することができる。
【００１７】
更に、本発明によれば、２つに分離した半田流しランドの間の複数の配線パターンに半田流しランドの機能を持たせることができ、且つ配線パターンの幅を大きくとることができるため、半田付け性を保ちつつ、配線パターンがノイズの影響を受けにくいプリント基板を提供することができる。
【００１８】
更に、本発明によれば、配線パターンの一部を半田流しランドとして流用することができるため、配線パターンの幅を大きくとることができ、半田付け性を保ちつつ、配線パターンがノイズの影響を受けにくいプリント基板を提供することができる。
【発明を実施するための最良の形態】
【００１９】
本発明の実施の形態を、図面を参照して説明する。尚、以下の実施例は本発明の具体例に過ぎず、本発明が以下の実施形態に限定されるものではない。
【実施例１】
【００２０】
図１は、本実施例のプリント基板の半田流しランド近傍を示す説明図である。前方半田付けランド群３１と後方半田付けランド群３２との間に、２つに分離された半田流しランド５が設けられている。この２つに分離された半田流しランド５の間を配線パターンが通る。この配線パターンは、ランドになっている部分７１と、レジストが塗布されている部分７２を有する。
【００２１】
配線パターンと半田流しランド５との間隔ａは、０．４ｍｍ以上且つ０．８ｍｍ以下であり、好ましくは、０．５ｍｍである。配線パターンのランドになっている部分７１の幅ｂは、０．３ｍｍ以上であり、好ましくは、０．５ｍｍ以上である。これらの数値は、各ランドで流し効果が得られ、且つ半田で短絡しない条件で求めたものである。
【実施例２】
【００２２】
図２は、本実施例のプリント基板の半田流しランド近傍を示す説明図である。前方半田付けランド群３１と後方半田付けランド群３２との間に、２つに分離された半田流しランド５が設けられている。この２つに分離された半田流しランド５の間を複数の配線パターンが通る。ここで、複数の配線パターンは、全体にレジストが塗布されている配線パターン１本と、ランドになっている部分７１とレジストが塗布されている部分７２を有する１本以上の配線パターンから構成される。
【００２３】
ランドとランドとの間隔ａは、０．４ｍｍ以上且つ０．８ｍｍ以下であり、好ましくは、０．５ｍｍである。配線パターンのランドになっている部分７１の幅ｂは、０．３ｍｍ以上であり、好ましくは、０．５ｍｍ以上である。全体にレジストが塗布されている配線パターンの幅ｃは、０．２ｍｍ以上且つ０．２５ｍｍである。全体にレジストが塗布されている配線パターンとこれを挟むランドとの間隔ｄは、夫々０．２ｍｍ以上且つ０．２５ｍｍ以下である。これらの数値は、各ランドで流し効果が得られ、且つ半田で短絡しない条件で求めたものである。
【実施例３】
【００２４】
図３は、本実施例のプリント基板の配線パターンを半田流しランドとして流用している部分の近傍を示す説明図である。前方半田付けランド群３１と後方半田付けランド群３２との間に、配線パターンが設けられている。この配線パターンは、ランドになっている部分８１と、レジストが塗布されている部分８２を有する。
【００２５】
配線パターンのランド部分８１と前方半田付けランド群３１との間隔（配線パターンのランド部分８１と後方半田付けランド群３２との間隔と等しい）ａは、０．４ｍｍ以上且つ０．８ｍｍ以下であり、好ましくは、０．５ｍｍである。これらの数値は、各ランドで流し効果が得られ、且つ半田で短絡しない条件で求めたものである。
【００２６】
以上述べたように、本発明では、ＱＦＰ下部から配線パターンを引き出す場合においても、半田付け性を保ちつつ、配線パターンがノイズの影響を受けにくいプリント基板を提供することができる。
【図面の簡単な説明】
【００２７】
【図１】本発明の実施例１のプリント基板の半田流しランド近傍を示す説明図である。
【図２】本発明の実施例２のプリント基板の半田流しランド近傍を示す説明図である。
【図３】本発明の実施例３のプリント基板の配線パターンを半田流しランドとして流用している部分の近傍を示す説明図である。
【図４】ＱＦＰを示す斜視図である。
【図５】ＱＦＰの寸法を示す説明図である。
【図６】従来のプリント基板を示す説明図である。
【図７】従来のＱＦＰ下部から配線パターンを引き出す場合の半田流しランド近傍を示す説明図である。
【符号の説明】
【００２８】
１  プリント基板
２  ＱＦＰ
５  半田流しランド
６  半田引きランド
７  配線パターン
９  ディップ方向を示す矢印
２１  端子
２２  端子群
３１  前方半田付けランド群
３２  後方半田付けランド群
７１  配線パターンのランド部分
７２  配線パターンのレジストが塗布されている部分
８１  半田流しランド
８２  半田流しランドにレジストが塗布されている部分
【図１】
2007207826.tif 000003
【図２】
2007207826.tif 000004
【図３】
2007207826.tif 000005
【図４】
2007207826.tif 000006
【図５】
2007207826.tif 000007
【図６】
2007207826.tif 000008
【図７】
2007207826.tif 000009